(57)【特許請求の範囲】
【請求項１】
ドアに内蔵される錠箱と、前記ドアの一方の面に形成した取付穴から挿入され前記錠箱に嵌挿される筒状の操作部材と、該操作部材の嵌挿先端部の外周に設けられ前記ドアの端面に垂直な方向で穿設された固定孔と、前記錠箱に内設され該固定孔に挿入可能なセットピンとから成り、
前記錠箱に回動自在に支持され頭部が前記ドアの端面に表出される止めネジと、該止めネジに螺合され前記セットピンを挿通保持する切欠部が穿設されかつ該切欠部に挿通されたセットピンの基端面に平行なバネ座部を有するリフトプレートと、前記セットピンの基端側に設けられ該セットピンの前記切欠部からの抜けを規制する抜け止めフランジ部と、前記切欠部に挿通された前記セットピンの該抜け止めフランジ部と前記バネ座部との間に挟入される圧縮バネとを備え、前記セットピンの先端が先細形状に形成されたことを特徴とする錠箱操作部材の取付構造。
【請求項２】
前記固定孔が前記操作部材の軸線を挟んで一対穿設され、
前記リフトプレートに一対の前記セットピンが前記圧縮バネに付勢されて前記切欠部に挿通保持されたことを特徴とする請求項１記載の錠箱操作部材の取付構造。
【請求項３】
前記ドアの両面に前記取付穴が形成され、
前記固定孔が前記操作部材の軸線を挟んで一対穿設され、
一対の前記操作部材が前記錠箱に嵌挿されるとともに、
前記リフトプレートに二対の前記セットピンが前記圧縮バネに付勢されて前記切欠部に挿通保持されたことを特徴とする請求項１記載の錠箱操作部材の取付構造。
【請求項４】
前記セットピンの先細形状が、円錐形状であることを特徴とする請求項１，２，３のいずれか１つに記載の錠箱操作部材の取付構造。
【請求項５】
前記セットピンの先細形状が、半球状であることを特徴とする請求項１，２，３のいずれか１つに記載の錠箱操作部材の取付構造。
【発明の詳細な説明】
【技術分野】
【０００１】
本発明は、扉に内蔵される錠箱に対して操作部材である例えばシリンダーユニットやサムターンユニットを取り付ける錠箱操作部材の取付構造に関する。
【背景技術】
【０００２】
扉に設けられる錠装置は、一般的に扉に錠箱が内蔵され、この錠箱には、扉の室外側に露出するシリンダー錠と、扉の室内側に露出するサムターンとが設けられている。錠箱には、ロック部材である例えばデッドボルトが扉の端面（木口）から進退自在に設けられている。この種の施錠装置では、室外側に露出されたシリンダー錠の鍵孔に、合鍵（キー）を挿入して回転操作することにより、扉の木口よりデッドボルトが進退されて、扉枠側に対して施解錠が行われるようになっている。また、室内側からは、サムターンの摘みが回転操作されるのみで、デッドボルトが進退され、扉の施解錠が簡便に行われるようになっている。
【０００３】
ここで、シリンダー錠やサムターンは、防犯性を高める意味でも錠箱に確実に固定される必要がある。従来、この種の取付構造では、扉の一方の面（室外側の面）に形成した取付穴からシリンダー錠を挿入するとともに、扉の他方の面（室内側の面）に形成した取付穴からサムターンを挿入し、これらシリンダー錠及びサムターンのそれぞれの錠箱嵌挿先端部の外周に設けられる一対の固定孔に、扉の端面側から錠箱の端面を貫通して、それぞれの固定孔にセットピンを挿入することで、錠箱に対しシリンダー錠、サムターン等の操作部材を固定していた（例えば特許文献１参照）。
【特許文献１】特開２００２−２５６７３３号公報
【発明の開示】
【発明が解決しようとする課題】
【０００４】
しかしながら、従来の錠箱と操作部材の取付構造は、４本のセットピンを１本ずつそれぞれ挿入して行っていたため、錠箱に対する操作部材の組付け作業時、或いはシリンダー錠のみの交換時においても、一つの操作部材に対して２本のセットピンを抜脱・挿入しなければならず、一つの操作部材を交換する場合でも４回のセットピンの挿脱が必要となり、取り付け作業が煩雑かつ長時間となった。また、ガラス自動ドアに取り付けられるこの種の錠装置は、ガラス自動ドアの上桟又は下桟に取り付けられることが多く、この場合、特に取付位置が下桟であると、床面より１０ｃｍ程度の低い位置での無理な姿勢による取付作業が強いられることとなる。このため、操作部材を手指によって取付穴に仮り保持しながら、多数のセットピンを差し入れて行くことは極めて困難な作業となった。このことは、特にドア両面に操作部材が取り付けられる錠箱操作部材の取付構造で顕著となった。
【０００５】
本発明は上記状況に鑑みてなされたもので、セットピンを１本ずつ挿入して操作部材を固定する必要がなく、ドア両面の操作部材を同時に仮止めして取り付けることのできる錠箱操作部材の取付構造を提供し、もって、操作部材の容易、かつ短時間での取り付けを可能とすることを目的とする。
【課題を解決するための手段】
【０００６】
次に、上記の課題を解決するための手段を、実施の形態に対応する図面を参照して説明する。
本発明の請求項１記載の錠箱操作部材の取付構造は、ドア１１に内蔵される錠箱１００と、前記ドア１１の一方の面に形成した取付穴から挿入され前記錠箱１００に嵌挿される筒状の操作部材１５と、該操作部材１５の嵌挿先端部の外周に設けられ前記ドア１１の端面に垂直な方向で穿設された固定孔７９と、前記錠箱１００に内設され該固定孔７９に挿入可能なセットピン７１とから成り、
前記錠箱１００に回動自在に支持され頭部が前記ドア１１の端面１１ａに表出される止めネジ５３と、該止めネジ５３に螺合され前記セットピン７１を挿通保持する切欠部６９が穿設されかつ該切欠部６９に挿通されたセットピン７１の基端面に平行なバネ座部７７を有するリフトプレート５７と、前記セットピン７１の基端側に設けられ該セットピン７１の前記切欠部６９からの抜けを規制する抜け止めフランジ部７３と、前記切欠部６９に挿通された前記セットピン７１の該抜け止めフランジ部７３と前記バネ座部７７との間に挟入される圧縮バネ８１とを備え、前記セットピン７１の先端が先細形状に形成されたことを特徴とする。
【０００７】
この錠箱操作部材の取付構造では、セットピン先端を、固定孔７９の配置位置に予め突出させておくことが可能となる。そして、ドア端面１１ａに表出した止めネジ５３の頭部を、工具により回転することで、セットピン７１を固定孔７９に貫通させる。
【０００８】
請求項２記載の錠箱操作部材の取付構造は、前記固定孔７９が前記操作部材１５の軸線を挟んで一対穿設され、
前記リフトプレート５７に一対の前記セットピン７１が前記圧縮バネ８１に付勢されて前記切欠部６９に挿通保持されたことを特徴とする。
【０００９】
この錠箱操作部材の取付構造では、錠箱１００に嵌挿された操作部材１５を一対のセットピン７１で良好な保持性で仮止めすることが可能となる。
【００１０】
請求項３記載の錠箱操作部材の取付構造は、前記ドア１１の両面に前記取付穴が形成され、
前記固定孔７９が前記操作部材１５の軸線を挟んで一対穿設され、
一対の前記操作部材１５が前記錠箱１００に嵌挿されるとともに、
前記リフトプレート５７に二対の前記セットピン７１が前記圧縮バネ８１に付勢されて前記切欠部６９に挿通保持されたことを特徴とする。
【００１１】
この錠箱操作部材の取付構造では、ドア両面から挿入される操作部材１５，１７を、同時に仮止めすることが可能となる。
【００１２】
請求項４記載の錠箱操作部材の取付構造は、前記セットピン７１の先細形状が、円錐形状であることを特徴とする。
【００１３】
この錠箱操作部材の取付構造では、セットピン７１の先端に、操作部材１５の嵌挿時の当接押圧力によって、セットピン７１を後退させる傾斜面が形成される。
【００１４】
請求項５記載の錠箱操作部材の取付構造は、前記セットピン７１の先細形状が、半球状であることを特徴とする。
【００１５】
この錠箱操作部材の取付構造では、セットピン７１の先端に、操作部材１５の嵌挿時の当接押圧力によって、セットピン７１を後退させる凸曲面が形成される。
【発明の効果】
【００１６】
本発明に係る請求項１記載の錠箱操作部材の取付構造によれば、錠箱内に回動自在に設けられた止めネジに、リフトプレートが螺合され、このリフトプレートには圧縮バネで付勢されたセットピンが挿通保持されているので、セットピン先端の先細形状を、固定孔の配置位置に予め突出させておくことが可能となる。したがって、取付穴に挿入された操作部材の固定孔に、セットピンの先端を圧縮バネの付勢力によって僅かに進入状態とすることが可能となり、操作部材を固定前に予め取付穴に仮保持することができる。この結果、セットピンを１本ずつ挿入して操作部材を固定する必要がなく、ドア端面に表出した止めネジの頭部を、工具により回転することで、操作部材の容易、かつ短時間での取り付けを可能とすることができる。
【００１７】
請求項２記載の錠箱操作部材の取付構造によれば、固定孔が操作部材の軸線を挟んで一対穿設され、リフトプレートに一対のセットピンが挿通保持されるので、錠箱に嵌挿された操作部材を一対のセットピンで仮止めすることができ、操作部材の仮止め保持を確実なものにすることができる。
【００１８】
請求項３記載の錠箱操作部材の取付構造によれば、ドア両面に取付穴が形成され、リフトプレートには二対のセットピンが挿通保持されるので、ドア両面の操作部材を同時に仮止めして、表裏２つの操作部材を錠箱に容易かつ短時間で取り付けできる。
【００１９】
請求項４記載の錠箱操作部材の取付構造によれば、セットピンの先細形状が、円錐形状であるので、操作部材の嵌挿時の当接押圧力によって、セットピンを圧縮バネの付勢力に抗して後退させる傾斜面を、容易に製作することができる。
【００２０】
請求項５記載の錠箱操作部材の取付構造によれば、セットピンの先細形状が、半球状であるので、円錐形状に比べ鋭角な先端部が無いので、操作部材の当接押圧力によるセットピンの後退をスムースにすることができる。
【発明を実施するための最良の形態】
【００２１】
以下、本発明に係る錠箱操作部材の取付構造の好適な実施の形態を図面を参照して詳細に説明する。
図１は本発明に係る取付構造を有する錠箱を下桟に備えたガラス自動ドアの正面図、図２は図１に示した錠箱の分解斜視図、図３は図２の要部分解斜視図である。
本実施の形態による取付構造を有する錠箱１００は、例えばガラス自動ドア１１の下桟１３に設けられる。本実施の形態では、下桟１３の表裏に、操作部材であるシリンダ錠１５と、操作部材であるサムターン１７とが取り付けられる場合を例に説明する。なお、本発明の取付構造は、錠箱１００の一方の面に、１つの操作部材が取り付けられる場合であっても、同様に適用可能なものである。
【００２２】
錠箱１００は、下桟１３の端面である木口１１ａ側に近接して内蔵される。下桟１３の表裏面には図示しない取付穴が穿設される。錠箱１００からは、図示しないデッドボルトが下方へ突出可能に内蔵され、ガラス自動ドア１１の閉止時に、室外側のシリンダ錠１５、又は室内側のサムターン１７が回転操作されることにより、下方へ突出したデッドボルトが敷居側の係合穴１９に進入してガラス自動ドア１１の開放が規制される。
【００２３】
錠箱１００は、図２に示すように、板金材からなるケース２１と、同じく板金材からなるケース蓋２３とを有する。ケース２１の側板２５にはシリンダ錠１５が嵌挿される取付穴２７が形成される。ケース蓋２３の側板２９にはサムターン１７が嵌挿される取付穴３１が形成される。なお、シリンダ錠１５及びサムターン１７の外形状、取付穴２７及び取付穴３１は、その形状が同一であるので、取付構造については、以下シリンダ錠１５、取付穴２７の場合を主な例に説明する。
【００２４】
ケース２１の内壁には支持板３３が内方へ向けて突設され、支持板３３は後述のセットピンの貫通する４つの貫通孔３５と、後述の止めネジが貫通する支持孔３７とが穿設されている。
【００２５】
また、ケース２１の上面には天板部３９が設けられ、天板部３９は一対のビス挿通穴４１，４１と、これらの間に穿設される止めネジ表出孔４３とを有する。一方、ケース蓋２３には天板部３９の下面側に平行に重なる固定板４５が上部に設けられ、固定板４５はビス挿通穴４１に挿通されたビスが螺合する一対のネジ孔４７，４７が形成されている。
【００２６】
ケース蓋２３の固定板４５にはＵ字状の切欠４９が形成され、切欠４９は段部５１を有している。この切欠４９には止めネジ５３が挿入される。図３に示すように、止めネジ５３の基端部には鍔部５３ａが形成され、鍔部５３ａは段部５１に挿入されるようになっている。止めネジ５３は、鍔部５３ａが切欠４９の段部５１に配置された状態で、上方から天板部３９がビス固定されることで、段部５１と天板部３９とに鍔部５３ａが回動自在に挟持され、軸線方向の移動が規制されるようになっている。
【００２７】
止めネジ５３の基端面５３ｂにはドライバ工具による回動が可能となる凹部が形成される。錠箱１００の天板部３９は、ガラス自動ドア１１の木口１１ａに表出される。すなわち、止めネジ５３の凹部も表出される。表出された天板部３９は、ガラス自動ドア１１の木口１１ａにビス固定される図示しない化粧板によって覆われるようになっている。
【００２８】
止めネジ５３は、先端が支持板３３の支持孔３７に支持される。この止めネジ５３の中央部には所定長さのネジ５５が形成され、ネジ５５にはリフトプレート５７が螺合される。リフトプレート５７は台板５９と上板６１とからなり、台板５９と上板６１の中央にはネジ５５に螺合する雌ネジ６３が形成される。台板５９と上板６１とは、突起６５ａ，６５ｂと係止穴６７ａ，６７ｂとを相互に係止し、雌ネジ６３、６３が一致するようにして溶接等によって一体固定される。
【００２９】
台板５９には４つの切欠部６９が形成され、それぞれの切欠部６９はセットピン７１を挿入保持可能としている。セットピン７１の基端側には抜け止めフランジ部７３が形成され、抜け止めフランジ部７３は切欠部６９からのセットピン７１の軸線方向の抜けを規制する。リフトプレート５７の長手方向両側には上板６１の両側が上方へ折り曲げられることにより可動空間７５，７５が形成される。この可動空間７５に面する上板６１の折り曲げ面は、セットピン７１の基端面に平行なバネ座部７７となる。
【００３０】
図２に示すように、シリンダ錠１５、サムターン１７の嵌挿先端部の外周には固定孔７９，７９が設けられ、固定孔７９はガラス自動ドア１１の木口１１ａに垂直な方向で穿設されている。セットピン７１は、この固定孔７９に挿入可能となる。切欠部６９に挿通されたセットピン７１の抜け止めフランジ部７３と、上板６１のバネ座部７７との間には圧縮バネ８１が挟入され、圧縮バネ８１はセットピン７１を図２の下方へ付勢している。したがって、圧縮バネ８１に付勢されたセットピン７１は、抜け止めフランジ部７３が切欠部６９の周縁に当接することで、軸線方向の抜けが阻止されるとともに、可動空間７５，７５へ後退する方向に微動可能となっている。
【００３１】
止めネジ５３は、ガラス自動ドア１１の木口１１ａに表出した頭部を、工具により回転することで、セットピン７１の先端を、シリンダ錠１５、サムターン１７の固定孔７９の配置位置に予め突出させておくことが可能となっている。
【００３２】
セットピン７１は、先細形状が、例えば円錐形状で形成される。これにより、シリンダ錠１５の取付穴２７への嵌挿時、当接押圧力によって、セットピン７１を可動空間７５へ後退させる傾斜面が形成されるようになっている。このように、セットピン７１の先細形状が、円錐形状であるので、シリンダ錠１５の嵌挿時の当接押圧力によってセットピン７１を圧縮バネ８１の付勢力に抗して後退させる傾斜面を、容易に製作することができる。
【００３３】
なお、セットピン７１の先細形状は、この他、半球状としてもよい。セットピン７１の先細形状を半球状とすれば、円錐形状に比べ鋭角な先端部が無いので、シリンダ錠１５の当接押圧力によるセットピン７１の後退をスムースにすることができる。
【００３４】
本実施の形態では、固定孔７９がシリンダ錠１５の軸線を挟んで一対穿設されている。また、リフトプレート５７にはシリンダ錠１５に対応して、一対のセットピン７１が圧縮バネ８１に付勢されて切欠部６９に挿通保持されている。これにより、錠箱１００に嵌挿されたシリンダ錠１５を一対のセットピン７１、７１で仮止めすることができ、シリンダ錠１５の仮止め保持を確実なものにすることができるようになっている。
【００３５】
また、ガラス自動ドア１１の両面に取付穴が形成され、この取付穴に対応して錠箱１００には取付穴２７、取付穴３１が穿設され、さらに、リフトプレート５７に二対のセットピン７１が圧縮バネ８１に付勢されて切欠部６９に挿通保持されるので、ガラス自動ドア１１両面のシリンダ錠１５、サムターン１７を同時に仮止めして、容易かつ短時間で取り付けできるようになっている。
【００３６】
次に、上記のように構成された錠箱操作部材の取付構造の作用を説明する。
図４は操作部材の嵌挿前を（ａ）、仮保持状態を（ｂ）、固定状態を（ｃ）に示した操作部材取付手順の動作説明図である。
ガラス自動ドア１１に内蔵された錠箱１００に、シリンダ錠１５を取り付けるには、先ず、止めネジ５３を回動して、リフトプレート５７を所定位置に配置しておく。これにより、図４（ａ）に示すように、セットピン７１の先端を、取付穴２７に僅かに突出した状態とする。
【００３７】
この状態で、取付穴２７に、ガラス自動ドア１１の室外側からシリンダ錠１５が挿入されると、シリンダ錠１５の嵌挿先端部に設けられた固定孔７９の周縁が、セットピン７１の先端に当接する。さらに、シリンダ錠１５を押し込むと、セットピン７１がシリンダ錠１５の押圧力によって、圧縮バネ８１を圧縮する方向へ後退する。
【００３８】
シリンダ錠１５が取付穴２７の所定位置まで挿入されると、図４（ｂ）に示すように、セットピン７１と固定孔７９とが一致し、セットピン７１が圧縮バネ８１の付勢力により、再び付勢されて固定孔７９内に僅かに進入する。これにより、シリンダ錠１５は、固定孔７９がセットピン７１の先端に引っ掛かり、取付穴２７からの脱落が阻止される。つまり、シリンダ錠１５は、取付穴２７に押し込むことのみにより脱落不能に仮止めされることとなる。
【００３９】
この状態で、ガラス自動ドア１１の木口１１ａに表出する止めネジ５３の頭部をドライバ工具等で締め込むことで、図４（ｃ）に示すように、リフトプレート５７が下方へ移動され、同時にリフトプレート５７に保持されたセットピン７１がシリンダ錠１５の固定孔７９を貫通することとなる。これにより、シリンダ錠１５は、錠箱１００から脱落不能に取り付けられる。
【００４０】
上記の実施の形態による錠箱操作部材の取付構造によれば、錠箱１００内に回動自在に設けられた止めネジ５３に、リフトプレート５７が螺合され、このリフトプレート５７には圧縮バネ８１で付勢されたセットピン７１が挿通保持されているので、ドア木口１１ａに表出した止めネジ５３の頭部を、工具により回転することで、セットピン７１先端の先細形状を、固定孔７９の配置位置に予め突出させておくことが可能となる。
【００４１】
したがって、取付穴２７に挿入されたシリンダ錠１５の固定孔７９に、セットピン７１の先端を圧縮バネ８１の付勢力によって僅かに進入状態とすることが可能となり、シリンダ錠１５を固定前に予め取付穴２７に仮保持することができる。この結果、セットピン７１を１本ずつ挿入してシリンダ錠１５を固定する必要がなく、シリンダ錠１５の容易、かつ短時間での取り付けを可能とすることができる。
【図面の簡単な説明】
【００４２】
【図１】本発明に係る取付構造を有する錠箱を下桟に備えたガラス自動ドアの正面図である。
【図２】図１に示した錠箱の分解斜視図である。
【図３】図２の要部分解斜視図である。
【図４】操作部材の嵌挿前を（ａ）、仮保持状態を（ｂ）、固定状態を（ｃ）に示した操作部材取付手順の動作説明図である。
【符号の説明】
【００４３】
１１…ドア（ガラス自動ドア）
１５…操作部材（シリンダ錠）
１７…操作部材（サムターン）
２７，３１…取付穴
５３…止めネジ
５７…リフトプレート
６９…切欠部
７１…セットピン
７３…抜け止めフランジ部
７７…バネ座部
７９…固定孔
８１…圧縮バネ
１００…錠箱
【図１】
0004724544.tif 000002
【図２】
0004724544.tif 000003
【図３】
0004724544.tif 000004
【図４】
0004724544.tif 000005